(57)【特許請求の範囲】
【請求項１】
複数の廃棄物を分別する方法であって、分別が意図される複数の前記廃棄物又はリサイクル可能な材料のうちの一つのタイプのみを個別の手提げ袋、袋又はサック（１）に入れた状態で、コンベヤーを備える分別装置に運び、前記コンベヤーから、様々な廃棄物区分に属する前記個別の手提げ袋、袋又はサックを、前記区分に従って容器へ又は更なる処理のためにガイドすることによって互いから分離させ、該方法において、ＲＦＩＤ識別子（３）が前記廃棄物の搬送に用いる前記個別の手提げ袋、袋、サック（１）又は同等物に関連して使用される、廃棄物を分別する方法において、前記ＲＦＩＤ識別子（３）が設けられた閉鎖手段（２）を、前記個別の手提げ袋、袋、サック（１）若しくは同等物を閉じる際に使用するか、又は前記個別の手提げ袋、袋、サック（１）若しくは同等物が閉じられたことを確認するものとして使用し、前記複数の廃棄物又はリサイクル可能な材料のうちの前記一つのタイプが、前記閉鎖手段（２）に視覚的に示され、且つ前記閉鎖手段（２）の前記ＲＦＩＤ識別子（３）のメモリーにコード化され、
前記方法において、前記ＲＦＩＤ識別子（３）は、前記個別の手提げ袋、袋、サック（１）又は同等物内の前記複数の廃棄物又はリサイクル可能な材料のうち前記一つの前記タイプを特定するために使用され、
分別が意図される前記個別の手提げ袋、袋、サック（１）又は同等物を、前記コンベヤーに接続されて配置された又は前記コンベヤー付近に配置された少なくとも１つのセンサー（Ｓ１、Ｓ２、Ｓ３、Ｓ４、Ｓ５）まで前記コンベヤー上で移動し、
前記センサーが前記閉鎖手段（２）の前記ＲＦＩＤ識別子（３）から読み取った情報に基づいて、少なくとも１つのロボット（Ｒ１、Ｒ２、Ｒ３、Ｒ４、Ｒ５）又は少なくとも１つのロボット（Ｒ１、Ｒ２、Ｒ３、Ｒ４、Ｒ５）の一部を制御し、それによって、少なくとも１つのハンドリングデバイス又は少なくとも１つのハンドリングデバイスの一部が、前記ＲＦＩＤ識別子（３）が与える前記情報に基づいて、分別すべき前記個別の手提げ袋、袋、サック（１）又は同等物を前記コンベヤーから前記様々な区分に移送し、
前記複数の廃棄物又はリサイクル可能な材料のうちの前記一つを、前記個別の手提げ袋、袋、サック又は同等物のそれぞれから前記ハンドリングデバイスに隣接して配置された一つの容器へと、前記ハンドリングデバイスに隣接して配置された前記センサーが前記ＲＦＩＤ識別子から読み取った前記情報に基づいて移送し、
前記個別の手提げ袋、袋、サック又は同等物のそれぞれから移送された前記複数の廃棄物又はリサイクル可能な材料のうちの前記一つを、前記一つの容器に留置することを特徴とする、方法。
【請求項２】
手提げ袋、袋、サック（１）又は同等物を、少なくとも１つのハンドリングデバイス（Ｒ１、Ｒ２、Ｒ３、Ｒ４、Ｒ５）を用いて前記コンベヤーから最初に上方に持ち上げ、次いで、更なる処理のために移送することを特徴とする、請求項１に記載の方法。
【請求項３】
前記方法において、ユーザーによって自由に選択されるプラスチック手提げ袋、プラスチックサック又はプラスチック袋のような手提げ袋、袋又はサック（１）を廃棄物搬送において使用することを特徴とする、請求項１又は２に記載の方法。
【請求項４】
前記ハンドリングデバイス（Ｒ１、Ｒ２、Ｒ３、Ｒ４、Ｒ５）は、手提げ袋、袋、サック（１）又は同等物を前記コンベヤーから袋リッパー（１０４）に移送し、該袋リッパー（１０４）は前記手提げ袋、袋、サック（１）又は同等物に穴をもたらし、該穴から、内部の前記廃材又はリサイクル可能な材料を前記手提げ袋、袋、サック（１）又は同等物から取り出すことを特徴とする、請求項１乃至３のいずれか一項に記載の方法。
【請求項５】
前記方法において、手提げ袋、袋、サック（１）又は同等物、及び前記廃材又はリサイクル可能な材料を互いから分離させることを特徴とする、請求項１乃至４のいずれか一項に記載の方法。
【請求項６】
前記方法において、廃棄物を袋、手提げ袋、サック（１）又は同等物に形成した穴から重力によって分別コンベヤー上に載せて容器へ又は更なる処理のために移送することを特徴とする、請求項１乃至５のいずれか一項に記載の方法。
【請求項７】
空になった手提げ袋、袋、サック（１）又は同等物を、前記ハンドリングデバイスを用いて容器へ若しくは前記コンベヤー装置の送り込み容器へ又は更なる処理のために移送することを特徴とする、請求項１乃至６のいずれか一項に記載の方法。
【請求項８】
前記方法において、前記手提げ袋、袋、サック（１）又は同等物を、複数のハンドリングデバイスを用いて前記コンベヤーから様々な区分に分別するように移送することを特徴とする、請求項１乃至７のいずれか一項に記載の方法。
【請求項９】
分別すべき前記手提げ袋、袋、サック（１）又は同等物を前記コンベヤーの第１の端部から第２の端部に向けて前記コンベヤー上を移動させ、該コンベヤーの経路に並行して移送される前記手提げ袋、袋、サック（１）又は同等物の前記ＲＦＩＤ識別子（３）に基づいて、前記手提げ袋、袋、サック（１）又は同等物を、前記ハンドリングデバイスを用いて様々な区分に移送することを特徴とする、請求項１乃至８のいずれか一項に記載の方法。
【請求項１０】
前記方法において、複数のセンサー（Ｓ１、Ｓ２、Ｓ３、Ｓ４、Ｓ５）を前記コンベヤーに接続して又は該コンベヤー付近に配置し、前記センサーの、前記ＲＦＩＤ識別子（３）から読み取った情報に基づいて、ロボットのような複数のハンドリングデバイス（Ｒ１、Ｒ２、Ｒ３、Ｒ４、Ｒ５）又は該複数のハンドリングデバイス（Ｒ１、Ｒ２、Ｒ３、Ｒ４、Ｒ５）の一部を制御し、それによって、該ハンドリングデバイス又は該複数のハンドリングデバイスの少なくとも一部が、分別すべき前記手提げ袋、袋、サック（１）又は同等物を前記ＲＦＩＤ識別子（３）が与える情報に基づいて前記コンベヤーから前記様々な区分に移送するようにすることを特徴とする、請求項１乃至９のいずれか一項に記載の方法。
【請求項１１】
前記廃棄物の少なくとも一部を、前記コンベヤー（１０３）上に直接載せて更なる処理のために又は容器へ導くことを特徴とする、請求項１乃至１０のいずれか一項に記載の方法。
【請求項１２】
前記廃棄物から分離した前記手提げ袋、袋、サック（１）又は同等物を、空気圧式パイプコンベヤーを用いて容器へ又は更なる処理のために移送することを特徴とする、請求項１乃至１１のいずれか一項に記載の方法。
【請求項１３】
廃棄物分別システムであって、分別が意図される複数の廃棄物又はリサイクル可能な材料のうちの一つのタイプのみが個別の手提げ袋、袋又はサック（１）に入れた状態で、コンベヤー（１０３）を備える該システムに運ばれ、前記コンベヤー（１０３）から、様々な廃棄物区分に属する前記個別の手提げ袋、袋又はサックを、前記区分に従って容器へ又は更なる処理のためにガイドすることによって互いから分離させる、廃棄物分別システムにおいて、ＲＦＩＤ識別子（３）が、前記個別の手提げ袋、袋、サック（１）若しくは同等物を閉じる際に使用すべき、又は前記個別の手提げ袋、袋、サック（１）若しくは同等物が閉じられたことを確認するものとして使用すべき閉鎖手段（２）内に配置され、前記複数の廃棄物又はリサイクル可能な材料のうちの前記一つのタイプが、前記閉鎖手段（２）に視覚的に示され、且つ前記閉鎖手段（２）の前記ＲＦＩＤ識別子（３）のメモリーにコード化され、前記コンベヤーは、分別が意図される前記個別の手提げ袋、袋、サック（１）又は同等物を移動させるようになっており、少なくとも１つのセンサー（Ｓ１、Ｓ２、Ｓ３、Ｓ４、Ｓ５）が前記コンベヤーに接続されて配置され又は該コンベヤー付近に配置されており、前記センサーは前記ＲＦＩＤ識別子（３）の情報を読み取るようになっており、及び、少なくとも１つのロボット（Ｒ１、Ｒ２、Ｒ３、Ｒ４、Ｒ５）又は少なくとも１つのロボット（Ｒ１、Ｒ２、Ｒ３、Ｒ４、Ｒ５）の一部が、分別すべき前記個別の手提げ袋、袋、サック（１）又は同等物を、前記ＲＦＩＤ識別子（３）が与える前記情報に基づいて前記コンベヤー（１０３）から前記様々な区分に移送するようになっており、
前記ＲＦＩＤ識別子は、前記個別の手提げ袋、袋、サック又は同等物内の前記複数の廃棄物又はリサイクル可能な材料のうちの前記一つの前記タイプを特定するために使用され、
前記コンベヤーは、前記個別の手提げ袋、袋、サック又は同等物を前記センサーまで移動し、
前記システムは、前記ロボットに隣接して配置された一つの容器を備え、前記個別の手提げ袋、袋、サック又は同等物のそれぞれから前記一つの容器へと、前記複数の廃棄物又はリサイクル可能な材料のうちの前記一つが、前記ロボットに隣接して配置された前記センサーが前記ＲＦＩＤ識別子から読み取った前記情報に基づいて移送されると共に、前記個別の手提げ袋、袋、サック又は同等物のそれぞれから移送された前記複数の廃棄物又はリサイクル可能な材料のうちの前記一つは、前記一つの容器に留置されることを特徴とする、システム。
【請求項１４】
袋、手提げ袋、サック（１）又は同等物に穴を形成する手段（１０４）を備え、前記穴から、内部の前記廃材又はリサイクル可能な材料が出るようになっていることを特徴とする、請求項１３に記載のシステム。
【請求項１５】
ユーザーによって自由に選択されるプラスチック手提げ袋、プラスチックサック又はプラスチック袋のような手提げ袋、袋又はサック（１）を廃棄物搬送において使用するようになっていることを特徴とする、請求項１３又は１４に記載のシステム。
【請求項１６】
前記閉鎖手段（２）及び／又は前記ＲＦＩＤ識別子（３）が与える情報に基づいて様々な区分に廃棄物を分別するようになっていることを特徴とする、請求項１３乃至１５のいずれか一項に記載のシステム。
【請求項１７】
分別された廃棄物区分物を受け取るようになっている、前記コンベヤー（１０３）に対して横断する分別コンベヤー（１０５、１０９、１１０、１１１、１１２）を備えることを特徴とする、請求項１３乃至１６のいずれか一項に記載のシステム。
【請求項１８】
分別された廃棄物区分物用の容器（１０６、１０７）を備えることを特徴とする、請求項１３乃至１７のいずれか一項に記載のシステム。
【請求項１９】
前記ロボット（Ｒ１、Ｒ２、Ｒ３、Ｒ４、Ｒ５）は、分別すべき手提げ袋、袋、サック（１）又は同等物を把持する把持手段（１２０）を備えることを特徴とする、請求項１３乃至１８のいずれか一項に記載のシステム。
【請求項２０】
複数のセンサー（Ｓ１、Ｓ２、Ｓ３、Ｓ４、Ｓ５）が前記コンベヤー（１０３）に接続して又は該コンベヤー（１０３）付近に配置されており、該センサーはＲＦＩＤ識別子（３）を読み取るようになっており、ロボットのような複数のハンドリングデバイス（Ｒ１、Ｒ２、Ｒ３、Ｒ４、Ｒ５）又は該複数のハンドリングデバイス（Ｒ１、Ｒ２、Ｒ３、Ｒ４、Ｒ５）の一部を制御することが意図され、それによって、前記ハンドリングデバイス又は該ハンドリングデバイスの少なくとも一部が、前記ＲＦＩＤ識別子（３）が与える情報に基づいて、分別すべき前記手提げ袋、袋、サック（１）又は同等物を前記コンベヤー（１０３）から前記様々な区分に移送するようにすることを特徴とする、請求項１３乃至１９のいずれか一項に記載のシステム。
【請求項２１】
前記廃棄物から分離した前記手提げ袋、袋又はサック（１）又は同等物を容器へ又は更なる処理のために移送する手段（１０８、１１７、１１８）を備えることを特徴とする、請求項１３乃至２０のいずれか一項に記載のシステム。
【発明の詳細な説明】
【技術分野】
【０００１】
本発明の対象は、請求項１のプリアンブルに規定される方法である。
【０００２】
本発明の対象はまた、請求項１３のプリアンブルに規定される装置である。
【０００３】
本発明は、概して、廃棄物処理に関し、より詳細には廃棄物の分別に関する。
【背景技術】
【０００４】
今日、例えば家庭廃棄物に関して、家庭では廃棄物を入れるゴミ袋として様々な袋、サック又は手提げ袋を使用することが一般的である。例えば、フィンランドでは、買った品物を入れて家に持ち帰ったものである、店からのプラスチック手提げ袋をゴミ袋として使用することが普通である。廃棄物はプラスチック手提げ袋に入った状態でゴミ箱に運ばれ、ゴミ箱には通常、この袋とその中身とが結び目で閉じられた状態で投入される。廃棄物は更なる処理のためにゴミ収集車によってその先へ搬送される。最近のシステムでは、特に、廃棄物の分別がやっかいであるという一欠点がある。多くの場合、ユーザーは、廃棄物を様々な区分（allotment）に敢えて分別しようとせずに代わりに全ての廃棄物を同じゴミ袋又はゴミ箱に混ぜ入れる可能性がある。この場合に混合廃棄物が生じ、その再生利用は困難である。
【０００５】
様々な種類の廃棄物が様々な色のゴミ袋又はゴミ箱のような様々な容器に入った状態で搬送されるように取り計らわれる、廃棄物を分別する解決策が当該技術分野において知られている。例えば、家庭では様々な種類の廃棄物を様々な色のゴミ袋に入れる。或る特定の色のゴミ袋が各種の廃棄物用に指定されている。廃棄物は、例えば普通のゴミ収集車で廃棄物センターに搬送され、廃棄物センターにおいて、ゴミ袋の色に基づいて様々な区分に分別される。廃棄物を光学的に分別することは特許文献１に記載されている。この方法における欠点は、各廃棄物の種類を分別する目的でゴミ袋が別々に配置されねばならないという点である。別の欠点は、汚れた環境の中でゴミ袋を分別する際に使用される自動式光学分別装置の動作の不確実性でもある。廃棄物の分別は特許文献２に記載されている。
【０００６】
一方で、家庭のような廃棄物排出者が各種の廃棄物に合わせた適正な色のゴミ袋を使用する保証はない。システムの誤用者に自身の習慣を変えさせることは難しい。他方で、事が起こった後で誤用者を特定又は追跡することはほとんど不可能である。
【０００７】
さらに、ゴミ袋としてプラスチック手提げ袋又はプラスチック袋を使用する場合、例えば手提げ用の把持部から作られた当該袋の結び目が開くことはよくあることだが、その場合、廃棄物が搬送中に袋の外へとめどなく広がる可能性がある。これは、搬送車、ゴミ箱及び／又は他のゴミ袋の外側を汚し、分別プロセスを妨げ、衛生上の問題も生じさせる。ゴミ袋は今日、ゴミ袋が収容している廃棄物とともに最終的にゴミ埋立地行きとなり、このことがかなりの問題となっている。
【０００８】
例えば、ゴミ袋の１０から２０％が部分的に又は全体的に破ける可能性があり、その場合、廃棄物の分別の際に、ゴミ袋に加えて、雑多な分離した廃棄物がコンベヤーのコンベヤーベルト上を移動する。この場合、該当する廃棄物区分物をゴミ袋のコンベヤーから直接脇へ押しやるタイプのものであるハンドリングデバイスを用いる場合には、このハンドリングデバイスによって、コンベヤーベルト上にある他の分離した廃棄物もゴミ袋に同伴してしまう。このことは、満足のいく分別を達成するには望ましくない。
【先行技術文献】
【特許文献】
【０００９】
【特許文献１】欧州特許出願公開第０７５９８１６号
【特許文献２】国際公開第０３０３９７７３号
【特許文献３】国際公開第２００５／１１８４３５号
【特許文献４】国際公開第２００６／０９６１０１号
【発明の概要】
【発明が解決しようとする課題】
【００１０】
本発明の目的は、廃棄物の分別における新規のタイプの解決策を達成することであり、この解決策によって従来技術の課題を解決することができる。
【課題を解決するための手段】
【００１１】
本発明は、廃棄物、より詳細にはゴミ袋にＲＦＩＤ識別子が設けられており、廃棄物が分別センター又は同等物に運ばれ、そこでは、分別装置に、廃棄物、より詳細にはゴミ袋のＲＦＩＤ識別子の情報を読み取るセンサーが設けられているという概念に基づいている。センサーが読み取った情報は、ＲＦＩＤ識別子に基づいて様々な廃棄物区分物を分別する分別装置に送信される。
【００１２】
本発明による方法は主として、請求項１に開示されるものによって特徴付けられる。
【００１３】
本発明による方法はまた、請求項２乃至１２に開示されるものによって特徴付けられる。
【００１４】
本発明による装置は主として、請求項１３に開示されるものによって特徴付けられる。
【００１５】
本発明による装置はまた、請求項１４乃至２１に開示されるものによって特徴付けられる。
【００１６】
本発明による解決策は多くの重要な利点を有する。本発明による閉鎖手段を使用することによって、一方で、ゴミ袋、手提げゴミ袋、ゴミ用サック又は同等物が搬送時に閉じた状態のままであること、及び、以前よりも効果的な分別等、システムの動作を、ＲＦＩＤ識別子によって制御することができることも確実にする。ＲＦＩＤ識別子を閉鎖手段に配置することにより、廃棄物搬送において袋、手提げ袋、サック又は同等物のどのようなものも使用が可能となり、特定の廃棄物区分に意図した特別な別個の搬送用容器を必要としない。この場合、廃棄物搬送システムに関連して様々な材料に対して便宜的に１つだけのゴミ置き場を使用することができ、その場合、廃棄物は、後でシステムにおいて、例えば廃棄物センター、分別センター又は同等物においてＲＦＩＤ識別子に応じて様々な区分に分別される。同時に、本発明によるＲＦＩＤ識別子を有しない廃材をシステムのゴミ置き場に給送することを、必要であれば、例えばゴミ庫の扉をＲＦＩＤ識別子によってしか開かないように構成することによって防止することもできる。
【００１７】
ゴミ袋がゴミ収集車によって従来的に又は空気圧式廃棄物搬送システムによるような何らかの他の方法で搬送される、廃棄物分別センターにおいて、ゴミ袋はＲＦＩＤ識別子が与える情報に基づいて様々な廃棄物区分に分別される。この後、ゴミ袋は引き裂かれて残りの廃棄物から取り除かれる。この場合、袋が埋立地に行き着くことを回避することが可能である。袋の材料はリサイクルして再利用することができる。本発明による閉鎖手段のＲＦＩＤ識別子は、分別された廃棄物区分からゴミ袋が取り除かれていることをリーダー手段の助けにより確認するために更に使用することができる。
【００１８】
ＲＦＩＤ識別子を含む専用の閉鎖手段が各廃棄物区分に合わせて取り計らわれる。例えば、リサイクル可能な紙は対応する方法で処理される。この場合では、新聞等の紙が袋に入れられ、ＲＦＩＤ識別子を含む本発明による閉鎖手段を用いて閉じられる。
【００１９】
ＲＦＩＤ識別子を用いて、或る特定のユーザーが排出した廃棄物の量を記録することができ、その場合、請求書を作成する原則（invoicing principles）を変えることができる。他方で、廃棄物排出者は、廃棄物の分別に対し、例えばリサイクルに適した廃棄物の廃棄物搬送料の低減によって報われることができる。
【００２０】
典型的な実施の形態によれば、閉鎖手段は、廃棄物区分の色のＲＦＩＤステッカーテープであるステッカーテープであり、このステッカーテープは、例えば廃棄物の種類に応じて文字識別子を含む。加えて、各家庭、住宅建設業者、企業又は廃棄物を排出するその他の廃棄物排出者に応じて別個に指定される識別番号又は他の識別子を閉鎖手段及び／又はＲＦＩＤ識別子用に形成することができる。閉鎖手段は廃棄物の種類の絵図も含むことができ、その絵図に関連して該当する閉鎖手段が使用されるように意図される。
【００２１】
したがって、本発明は、店の普通のプラスチック手提げ袋を用いて利用することができ、これらの袋が本発明による閉鎖手段を用いて閉じられる。手提げ袋に廃棄物を入れ、その手提げループを結ぶことによって手提げ袋を閉じる。一般的な方法は、初めに１つの結び目を作ることであり、その後、閉鎖手段、好ましくはステッカーテープを結び目の頂部に配置し、手提げ袋の結び目の上で固定する。その後、手提げループを用いて第２の結び目を作る。この場合でのＲＦＩＤ識別子は少なくとも部分的に保護されたままであり、搬送による損傷を回避する。本発明による閉鎖手段はゴミ袋の結び目が開くことも防止する。
【００２２】
空気圧式パイプ搬送において本発明による閉鎖手段を用いることは、様々な区分に専用のゴミ置き場を必要とせず、代わりに全ての廃棄物が同じゴミ置き場行きとなるという利点を有する。通常の廃棄物搬送では、１種類のゴミ容器しか必要とせず、３乃至４台のゴミ収集車に代わって１台だけのゴミ収集車がそれらのゴミ容器を収集する。混合廃棄物、生物系廃棄物、ガラス廃棄物、金属廃棄物及び紙廃棄物のような全ての廃棄物が１つの袋に入れられる場合にも有利である。この場合では、区分がない状態であり、それらの搬送がより容易である。袋は分別センターにおいて自動的に取り除かれる。
【００２３】
本発明は、ＲＦＩＤ識別子を含む専用の閉鎖手段が各家庭又は他の廃棄物排出団体又は同等の場所に提供されるように好適な一実施の形態に従って適用することができる。これは分別に役立つ。さらに、本発明による閉鎖手段とＲＦＩＤ識別子との組み合わせによって、どこで廃棄物処理システムのコストが発生するかを示すことが容易である。したがって、料金を以前よりも正確に廃棄物排出者へ割り振ることができる。
【００２４】
好適な一実施の形態によれば、家庭は一定の廃棄物料金を負担し、分別センターにおいて分別されたゴミ袋ごとに控除を受ける。ＲＦＩＤ識別子の自動的な読取りに基づいて、システムは、控除が正確な対象に届くように、分別された廃棄物を情報システムによって割り振ることができる。
【００２５】
家庭の識別と同様、分別センターでのＲＦＩＤ識別子に基づいた分別は非常に容易である。したがって、ＲＦＩＤ識別子を閉鎖手段内に配置することは廃棄物分別に数多くの好条件を与える。
【００２６】
以下において、添付図面を参照しながら幾つかの実施形態を用いて本発明を詳細に説明する。
【図面の簡単な説明】
【００２７】
【図１】ゴミ袋に関連した、本発明によるシステムにおいて適用可能な閉鎖手段の一実施形態を示す図である。
【図２】本発明による一システムを簡略図として示す図である。
【図３】本発明によるシステムの詳細を示す図である。
【図４】本発明によるシステムの詳細を示す図である。
【発明を実施するための形態】
【００２８】
図１は、ゴミ袋１に関連した、本発明によるシステムにおいて適用可能なＲＦＩＤ識別子３が設けられている閉鎖手段２の一実施形態を示す図である。家庭、企業又は他の団体のような廃棄物排出者は、排出する廃棄物を予め分別してゴミ袋１に入れ、分別可能な種類の廃棄物を収容している各袋１に、廃棄物の種類に応じたＲＦＩＤ識別子３を含む閉鎖手段２を設ける。廃棄物の種類は例えば、混合廃棄物、生物系廃棄物、紙、ガラス、金属、板紙、有毒廃棄物等とすることができる。通常は、各種の分別可能な廃棄物すなわち廃棄物区分に専用の閉鎖手段があり、この閉鎖手段では、該当する閉鎖手段が意図する廃棄物の種類を視覚的に見ることができるか又は他の方法で知覚することができる。加えて、閉鎖手段は、家庭、企業又は他の団体のような各廃棄物排出者団体に対して個別の顧客コード又は同等物を含む。対応する情報がＲＦＩＤ識別子のメモリーにコード化される。
【００２９】
図１は、ＲＦＩＤ識別子３を設けた閉鎖手段２が固定されているゴミ袋１を示す。閉鎖手段２は、この図の実施形態では、ゴミ袋１に作られた結び目の上に配置されており、その場合、搬送時に結び目が開くことを防止する。結び目は、例えば袋１の手提げループを結ぶことによって作られる。閉鎖手段２は、袋１の外表面に対面する側に接着剤表面を含み、その場合、接着剤表面は袋の外表面に貼着する。
【００３０】
図１の場合における閉鎖手段はベース部を含み、このベース部上に、ＲＦＩＤ識別子３が当該技術分野においてそれ自体既知の方法で配置されている。ベースは好ましくは、接着剤表面により容易にゴミ袋に固定することができる積層ステッカー又は同等物である。ＲＦＩＤ識別子３は、メモリー部（チップ）及びアンテナ部を含む。ＲＦＩＤ識別子は好ましくは、パッシブＲＦＩＤ識別子であり、その場合、自身の電源を必要としない。
【００３１】
代替的に、閉鎖手段２は、口部の周りにきつく巻き付けることによる、ゴミ用サックの従来の口部の閉塞具として使用することができる。所望であれば、口部に更なる結び目を作ることができるか、又は追加の閉塞具を設けることができる。
【００３２】
家庭のような廃棄物排出者は、ゴミ庫に位置するゴミ箱のような、システムのゴミ置き場まで、廃棄物の種類に応じた閉鎖手段を設けたゴミ袋１を持って行く。
【００３３】
ゴミ袋の閉鎖手段２とＲＦＩＤ識別子３との組み合わせを、例えば以下のように廃棄物搬送システムに関連して用いることができる。本発明による閉鎖手段、すなわち、閉鎖手段とＲＦＩＤ識別子とを組み合わせたものが、家庭又は他の廃棄物排出者に配布又は交付される。ＲＦＩＤ識別子は各廃棄物排出者のコード又は対応する識別子を含み、このコードを用いて、必要であれば廃棄物排出者を識別することができる。好適な一実施形態によれば、閉鎖手段２は色コード等の識別コードを含み、この識別コードに応じて、閉鎖手段が、各分別されたゴミ袋に関連して決められたとおりにシステムにおいて使用される。色コードは、閉鎖手段全体のサイズ、又はパターン若しくは文字であるものとすることができる。或る特定の色の色コードを混合廃棄物用に、第２の色コードを生物系廃棄物用に、対応して独自の色コードをリサイクル可能な材料用に定めることが考えられる。この場合、ユーザーは、或る特定の種類の廃棄物を含むゴミ袋に、対応する色コードを含む閉鎖手段を付ける。
【００３４】
このようにして、ユーザーが所望するゴミ袋を異なる廃棄物区分のどのようなものにも関連して用いることができ、廃棄物排出者は、本発明の好適な一実施形態による閉鎖手段２及びＲＦＩＤ識別子３の色コードをゴミ袋１に付けるだけである。また通常、ＲＦＩＤ識別子は、該ＲＦＩＤ識別子が関連して用いられる廃棄物の種類をすでに含んでもいる。
【００３５】
ゴミ袋１を、所望の方法で、例えば廃棄物搬送車に載せて又は空気圧式運搬システムを通じて、廃棄物受付センターに搬送することができ、廃棄物受付センターでは本発明による分別装置を用いて廃棄物を様々な廃棄物区分に分別する。加えて、廃棄物の搬送に用いたゴミ袋１を各自の廃棄物区分に分けることができる。
【００３６】
図２は、本発明の一実施形態による廃棄物分別装置の簡略図を示す。ゴミ袋１を、分配コンベヤー１０２を用いて給送装置の送り込み容器１０１からメインコンベヤー１０３上に載せて分別装置に給送する。分別コンベヤー１０５、１０９、１１０、１１１、１１２がメインコンベヤー１０３に並行して横断方向に配置されている。センサーＳ１、Ｓ２、Ｓ３、Ｓ４、Ｓ５、すなわち、ＲＦＩＤ識別子の少なくとも一部を読み取ることができるＲＦＩＤ識別子リーダーが、メインコンベヤーの経路に並行して配置されている。センサーＳ１、Ｓ２、Ｓ３、Ｓ４、Ｓ５が読み取った情報に基づいて、ハンドリングデバイスＲ１、Ｒ２、Ｒ３、Ｒ４、Ｒ５を制御することができる。そのため、ハンドリングデバイスＲ１、Ｒ２、Ｒ３、Ｒ４、Ｒ５は、メインコンベヤー１０３の経路に並行して配置され、ゴミ袋１を把持してコンベヤー１０３から持ち上げ、最初に廃棄物を収容しているこのゴミ袋１をリッパー１０４に移送することができ、当該リッパー１０４はゴミ袋の袋部分を破る手段を備えており、そのため、ゴミ袋内部の廃棄物を、その袋に形成した穴から、該当する廃棄物区分を意図した分別コンベヤー１０５、１０９、１１０、１１１、１１２へ移動させることができる。分別コンベヤー１０５、１０９、１１０、１１１、１１２は、該当する廃棄物区分を意図した容器１０６、１０７へ廃棄物を移送する。ハンドリングデバイスＲ１、Ｒ２、Ｒ３、Ｒ４、Ｒ５は、空のゴミ袋１をそれらの空のゴミ袋向けの容器、又は例えばパイプコンベヤーのフィーダーホッパー１０８に移送し、その場合、空の袋を移送パイプ１１７に沿って容器１１８へ移動させる。パイプコンベヤーは例えば、それ自体が従来技術である空気圧式パイプコンベヤーとすることができ、当該コンベヤーでは材料を吸引及び／又は差圧によって移動させる。
【００３７】
分別コンベヤー１０５、１０９、１１０、１１１、１１２は、双方向に用いることができるタイプのものであり、その場合、コンベヤーの対向する両端部が、分別された廃棄物区分用の容器１０６、１０７を備える。この場合では、第１の容器１０６が満杯になると、コンベヤーの移送方向を変えることができ、その場合、分別コンベヤーは、当該コンベヤー上に載置された材料を対向端部の第２の容器１０７に移送する。図２の実施形態は、各分別コンベヤー１０５、１０９、１１０、１１１、１１２に接続して配置された対応する容器１０６、１０７を含む。
【００３８】
図の明確性を高めるために、コンベヤー及びハンドリングデバイスは支持構造体なしで示されている。図の実施形態におけるハンドリングデバイスＲ１、Ｒ２、Ｒ３、Ｒ４、Ｒ５は産業ロボットである。把持手段１２０がハンドリングデバイスのアームに構成されている。加えて、このアームはカメラ等の検出器装置を備えることができ、該検出器装置によってコンベヤー上のゴミ袋の位置を検出することができる。この後、ロボットは、ピッキング移動がゴミ袋の実際の場所に応じて行われるようにグリッパーを回転させることができる。
【００３９】
図中、図の実施形態におけるセンサーＳ１、Ｓ２、Ｓ３、Ｓ４、Ｓ５のそれぞれは、段階的に配置されており、そのポータルを、メインコンベヤー１０３上を進むとともに分別が意図されるゴミ袋１が通過する。
【００４０】
メインコンベヤーに接続して配置されたハンドリングデバイスＲ１、Ｒ２、Ｒ３、Ｒ４、Ｒ５を用いて分別を行い、これらのデバイスをセンサーからの信号に基づいて制御する。センサーが読み取ったＲＦＩＤ識別子の情報に基づいて、様々な廃棄物区分を意図した容器へ前進搬送するために様々な廃棄物区分を意図した分別コンベヤー１０５、１０９、１１０、１１１、１１２にゴミ袋の廃棄物を移送するための命令が送信される。
【００４１】
ゴミ袋の例えば１０乃至２０％が部分的に又は全体的に破れることが仮定されるため、したがって、ゴミ袋に加えて、多種多様の分離した廃棄物がコンベヤーベルト上を移動する。この場合、該当する廃棄物区分のゴミ袋を脇へ押しやるだけのタイプのものであるハンドリングデバイスを用いる場合では、このハンドリングデバイスによって、コンベヤーベルト上にある他の分離した廃棄物も同時に同伴してしまう。これは満足のいく分別を達成するには望ましくない。
【００４２】
本発明の一実施形態による解決策は、例えばロボットであるハンドリングデバイスであって、センサー、すなわちＲＦＩＤリーダーが制御システムに与える信号に基づいて当該ハンドリングデバイスのグリッパーでゴミ袋を最初に上方に持ち上げ、次いで、ゴミ袋の廃棄物を分別コンベヤーに移送するハンドリングデバイスを用いることである。
【００４３】
ロボットのようなハンドリングデバイスのグリッパーの把持部は、グリッパーがゴミ袋をその上縁でのみ把持するように調整することができる。ゴミ袋は、ロボットのグリッパーの把持部にあるときに、それ自体が従来技術である方法で容易にロボットによって移動させることができる。第１のハンドリング手段Ｒ１の場合、図３の実施形態におけるゴミ袋をリッパー１０４に移送し、そこで袋の底部に穴を形成し、その場合、図３の実施形態における分別コンベヤー１０５上に袋の中身が落ちる。ハンドリングデバイスＲ１は、空の袋１を、例えば、パイプコンベヤー１１７のフィーダーホッパー１０８へ移送することで、意図した容器１１８に空の袋１を移送する。代替的に、空の袋をメインコンベヤーのコンベヤーベルト上に戻すことができ、その場合、空の袋は、メインコンベヤーの下流端部に配置された、混合廃棄物の容器１１４に進む。必要であれば、中間コンベヤー１１３を用いることができる。図２の実施形態では、混合廃棄物をさらに、コンベヤー１１５、１１６を用いて容器１１４から搬送容器１０６、１０７に導くことができる。
【００４４】
図３及び図４は図２の装置の詳細を示す。図３では、第１のハンドリングデバイスＲ１が、メインコンベヤー１０３からゴミ袋１を掴み取って最初に上方に持ち上げ、その場合、コンベヤー上の袋付近の材料はコンベヤー１０３上に残ったままであるか又はコンベヤー１０３上に落ちて戻る。この後、ハンドリングデバイスＲ１はゴミ袋をリッピング装置１０４に移送し、その場合、少なくとも１つの穴を袋に、一般的にはその底部に形成し、その穴から袋の中身を重力によって第１の分別コンベヤー１０５上に落とすことができる。分別コンベヤーは、袋から該コンベヤー上へ移された廃棄物区分物Ｗ１を容器１０６若しくは１０７へ又は更なる処理のために移送する。図４の実施形態では、ハンドリングデバイスが空のゴミ袋１をフィーダーホッパー１０８に移送し、そこからパイプコンベヤーが袋を移送パイプ１１７内に通して容器１１８に移送する。
【００４５】
第１のセンサーＳ１がゴミ袋１の袋のＲＦＩＤ識別子３に基づいて、メインコンベヤーから分離すべき第１の廃棄物区分物を検出すると、その情報がセンサーＳ１からハンドリングデバイスＲ１の制御システムに中継される。この場合では、図の実施形態ではロボットである第１のハンドリングデバイスＲ１が、メインコンベヤー１０３のコンベヤーベルト上にある選択されたゴミ袋１を把持して上方に持ち上げ、次いで、選択された袋を脇へ移送する。
【００４６】
分別に必要とされる、図の実施形態ではロボットであるハンドリングデバイスＲ１、Ｒ２、Ｒ３、Ｒ４、Ｒ５の数量は、分別すべき廃棄物区分の廃棄物量に従って規定せねばならない。この場合では、例えば、紙及び生物系廃棄物は廃棄物区分の廃棄物量に関して多量の廃棄物区分とすることができ、これに対応して金属又はガラスは廃棄物区分の廃棄物量に関してより少量の廃棄物区分とすることができる。
【００４７】
複数のハンドリング手段Ｒ１、Ｒ２、Ｒ３、Ｒ４、Ｒ５を、廃棄物区分の廃棄物量に関して多量である廃棄物区分物を分別するのに用いることができる。図に示されているような、例えば２つよりも多くの、例えばロボットであるハンドリング手段がメインコンベヤー１０３の異なる側にあることができる。これらのハンドリング手段は、リッパー１０４を用いて袋にカットした穴から、同じ分別コンベヤー１０５上にゴミ袋の廃棄物を落とすことができる。
【００４８】
分別すべき廃棄物区分の数及び各廃棄物区分の廃棄物量に応じて、ＲＦＩＤ識別子が設けられたゴミ袋を本発明による装置を用いて柔軟に分別することができる。
【００４９】
分別装置内に、又は分別装置付近に、コンベヤー１０３上に運ばれた各ゴミ袋１の閉鎖手段２のＲＦＩＤ識別子３の情報又は当該情報の少なくとも一部を読み取るセンサーＳ１、Ｓ２、Ｓ３、Ｓ４、Ｓ５がある。センサーＳ１、Ｓ２、Ｓ３、Ｓ４、Ｓ５は好ましくは、十分に長い距離から遠隔的にＲＦＩＤ識別子３のメモリー内の情報を読み取ることができるタイプのものである。この情報を、分別装置のセンサーＳ１、Ｓ２、Ｓ３、Ｓ４、Ｓ５から例えばシステムの制御システムに送信し、この情報に基づいて、ハンドリング要素Ｒ１、Ｒ２、Ｒ３、Ｒ４、Ｒ５及び／又はコンベヤー１０２、１０３、１０５、１０９、１１０、１１１、１１２を制御する。
【００５０】
センサーＳ１、Ｓ２、Ｓ３、Ｓ４、Ｓ５からの情報は、それら自体が従来技術であるデータ転送方法及びデータ転送システムを用いて、制御システムに無線で又は有線で送信することができる。
【００５１】
接続は双方向であるものとすることもでき、その場合、センサーＳ１、Ｓ２、Ｓ３、Ｓ４、Ｓ５からくる情報はＲＦＩＤ識別子３のメモリー内に保存することができる。この場合、センサーＳ１、Ｓ２、Ｓ３、Ｓ４、Ｓ５は単に情報の読取り装置ではなく、読取り／送信装置である。
【００５２】
ＲＦＩＤ識別子を用いて、或る特定のユーザーによって排出された廃棄物の量を記録することができ、その場合、請求書を作成する原則を変えることができる。他方で、廃棄物排出者は、廃棄物の分別に対し、例えばリサイクルに適した廃棄物の廃棄物搬送料の低減によって報われることができる。
【００５３】
典型的な実施形態によれば、閉鎖手段は、廃棄物区分の色を有するＲＦＩＤステッカーテープである閉鎖用ステッカーテープであり、このステッカーテープは、例えば廃棄物の種類に応じた文字識別子を含む。加えて、各家庭、住宅建設業者、企業又は廃棄物を排出するその他の廃棄物排出者に応じて別個に指定される識別番号又は他の識別子を閉鎖手段及び／又はＲＦＩＤ識別子用に形成することができる。
【００５４】
したがって、本発明は、店の普通のプラスチック手提げ袋を用いることによって利用することができ、これらの袋が本発明による閉鎖手段２を用いて閉じられる。手提げ袋に廃棄物を入れ、その手提げループを結ぶことによって手提げ袋を閉じる。一般的な方法は、初めに１つの結び目を作ることであり、その後、閉鎖手段、好ましくはステッカーテープを結び目の頂部に配置し、手提げ袋の結び目の上で固定する。その後、手提げループを用いて第２の結び目を作る。ＲＦＩＤ識別子はこの場合、少なくとも部分的に保護されたままであり、搬送による損傷を回避する。本発明による閉鎖手段はゴミ袋の結び目が開くことも防止する。
【００５５】
ゴミ袋が従来のゴミ収集車によって又は何らかの他の方法で搬送される、廃棄物分別センターにおいて、ゴミ袋はＲＦＩＤ識別子３が与える情報に基づいて様々な廃棄物区分に分別される。この後、ゴミ袋１は引き裂かれて残りの廃棄物から取り除かれる。本発明による閉鎖手段のＲＦＩＤ識別子は、分別された廃棄物区分からゴミ袋が取り除かれたことをリーダー手段の助けによって確認するために更に使用することができる。
【００５６】
本発明は、ＲＦＩＤ識別子を含む専用の閉鎖手段が各家庭に提供されるように、好適な一実施形態に従って適用することができる。これは分別に役立つ。加えて、本発明による閉鎖手段とＲＦＩＤ識別子との組み合わせによって、どこで廃棄物処理システムのコストが発生するかを示すことが容易である。したがって、料金は以前よりも正確に廃棄物排出者に割り振ることができる。
【００５７】
好適な一実施形態によれば、家庭は一定の廃棄物料金を負担し、分別センターにおいて分別されたゴミ袋ごとに控除を受ける。ＲＦＩＤ識別子の自動的な読取りに基づいて、システムは、控除が正確な対象に届くように、分別された廃棄物を情報システムによって割り振ることができる。
【００５８】
閉鎖手段とＲＦＩＤ識別子との組み合わせが最も好適な実施形態であるが、システムは、所望であれば、使用準備が整っているＲＦＩＤ識別子を含むゴミ袋が閉鎖手段の代わりに使用される代替形態を排除するものではない。しかしながら、これには、各廃棄物区分用にＲＦＩＤ識別子を設けた別個のゴミ袋を必要とする。
【００５９】
家庭の識別と同様、分別センターにおけるＲＦＩＤ識別子に基づいた分別は非常に容易である。ＲＦＩＤ識別子は廃棄物分別に数多くの好条件を与える。
【００６０】
したがって、本発明は、廃棄物を分別する方法であって、分別が意図される廃棄物又はリサイクル可能な材料を、手提げ袋、袋又はサック１に入れた状態で、コンベヤーを備える分別装置に運び、当該コンベヤーから、様々な廃棄物区分に属する手提げ袋、袋又はサックを、当該区分に従って容器へ又は更なる処理のためにガイドすることによって互いから分離させる、廃棄物を分別する方法に関する。ＲＦＩＤ識別子３を、廃棄物の搬送に用いる手提げ袋、袋、サック１又は同等物に関連させて使用し、好的には、ＲＦＩＤ識別子３が設けられた閉鎖手段２を、手提げ袋、袋、サック１若しくは同等物を閉じる際に使用するか、又は手提げ袋、袋、サック１若しくは同等物が閉じられたことを確認するものとして使用し、また、当該方法において、分別が意図される手提げ袋、袋、サック１又は同等物を、コンベヤー上で移動させ、当該コンベヤーに接続され又は当該コンベヤー付近に少なくとも１つのセンサーＳ１、Ｓ２、Ｓ３、Ｓ４、Ｓ５が配置されており、当該センサーの、ＲＦＩＤ識別子３から読み取った情報に基づいて、ロボットのような少なくとも１つのハンドリングデバイスＲ１、Ｒ２、Ｒ３、Ｒ４、Ｒ５又は少なくとも１つのハンドリングデバイスＲ１、Ｒ２、Ｒ３、Ｒ４、Ｒ５の一部を制御し、それによって、少なくとも１つのハンドリングデバイス又は少なくとも１つのハンドリングデバイスの一部は、ＲＦＩＤ識別子３が与える情報に基づいて、分別すべき手提げ袋、袋、サック１又は同等物をコンベヤーから様々な区分に移送するようにする。
【００６１】
好適な一実施形態によれば、手提げ袋、袋、サック１又は同等物を、少なくとも１つのハンドリングデバイスＲ１、Ｒ２、Ｒ３、Ｒ４、Ｒ５を用いてコンベヤーから最初に上方に持ち上げ、次いで、更なる処理のために移送する。
【００６２】
好適な一実施形態によれば、当該方法において、ユーザーによって自由に選択されるプラスチック手提げ袋、プラスチックサック又はプラスチック袋のような手提げ袋、袋又はサック１を廃棄物搬送において使用する。
【００６３】
好適な一実施形態によれば、ハンドリングデバイスＲ１、Ｒ２、Ｒ３、Ｒ４、Ｒ５は、手提げ袋、袋、サック１又は同等物をコンベヤーから袋リッパー１０４のような手段に移送し、当該袋リッパー１０４は手提げ袋、袋、サック１又は同等物に穴をもたらし、当該穴から、内部の廃材又はリサイクル可能な材料を手提げ袋、袋、サック１又は同等物から取り出す。
【００６４】
好適な一実施形態によれば、当該方法において、手提げ袋、袋、サック１又は同等物、及び廃材又はリサイクル可能な材料を互いから分離させる。
【００６５】
好適な一実施形態によれば、当該方法において、廃棄物を袋、手提げ袋、サック１又は同等物に形成した穴から重力によって分別コンベヤー上に載せて容器へ又は更なる処理のために移送する。
【００６６】
好適な一実施形態によれば、空になった手提げ袋、袋、サック１又は同等物を、ハンドリングデバイスを用いて容器へ若しくはコンベヤー装置の送り込み容器へ又は更なる処理のために移送する。
【００６７】
好適な一実施形態によれば、当該方法において、手提げ袋、袋、サック１又は同等物を、複数のハンドリングデバイスを用いてコンベヤーから様々な区分に分別するように移送する。
【００６８】
好適な一実施形態によれば、分別すべき手提げ袋、袋、サック１又は同等物をコンベヤーの第１の端部から第２の端部に向けて当該コンベヤー上を移動させ、当該コンベヤーの経路に並行して移送される当該手提げ袋、袋、サック１又は同等物のＲＦＩＤ識別子３に基づいて、当該手提げ袋、袋、サック１又は同等物を、ハンドリングデバイスを用いて様々な区分に移送する。
【００６９】
好適な一実施形態によれば、当該方法において、複数のセンサーＳ１、Ｓ２、Ｓ３、Ｓ４、Ｓ５をコンベヤーに接続して又は当該コンベヤー付近に配置し、当該センサーの、ＲＦＩＤ識別子３から読み取った情報に基づいて、ロボットのような複数のハンドリングデバイスＲ１、Ｒ２、Ｒ３、Ｒ４、Ｒ５又は当該複数のハンドリングデバイスＲ１、Ｒ２、Ｒ３、Ｒ４、Ｒ５の一部を制御し、それによって、当該ハンドリングデバイス又は当該複数のハンドリングデバイスの少なくとも一部が、分別すべき手提げ袋、袋、サック１又は同等物をＲＦＩＤ識別子３が与える情報に基づいて当該コンベヤーから様々な区分に移送するようにする。
【００７０】
好適な一実施形態によれば、廃棄物の少なくとも一部を、コンベヤー１０３上に直接載せて更なる処理のために又は容器へ導く。
【００７１】
好適な一実施形態によれば、廃棄物から分離した手提げ袋、袋、サック１又は同等物を、空気圧式パイプコンベヤーを用いて容器へ又は更なる処理のために移送する。
【００７２】
本発明はまた、廃棄物を分別する装置であって、分別が意図される廃棄物又はリサイクル可能な材料が、手提げ袋、袋又はサック１に入れた状態で、コンベヤー１０３を備える当該装置に運ばれ、当該コンベヤー１０３から、様々な廃棄物区分に属する手提げ袋、袋又はサックを、当該区分に従って容器へ又は更なる処理のためにガイドすることによって互いから分離させる廃棄物を分別する装置に関する。ＲＦＩＤ識別子３が、手提げ袋、袋、サック１又は同等物に関連されて配置され、好的には、手提げ袋、袋、サック１若しくは同等物を閉じる際に使用すべき、又は手提げ袋、袋、サック１若しくは同等物が閉じられたことを確認するものとして使用すべき閉鎖手段２に配置されており、当該コンベヤーは、分別が意図される手提げ袋、袋、サック１又は同等物を移動させるようになっており、少なくとも１つのセンサーＳ１、Ｓ２、Ｓ３、Ｓ４、Ｓ５が当該コンベヤーに接続され又は該コンベヤー付近に配置されており、当該センサーはＲＦＩＤ識別子３の情報を読み取るようになっており、ロボットのような少なくとも１つのハンドリングデバイスＲ１、Ｒ２、Ｒ３、Ｒ４、Ｒ５又は少なくとも１つのハンドリングデバイスＲ１、Ｒ２、Ｒ３、Ｒ４、Ｒ５の一部が、分別すべき手提げ袋、袋、サック１又は同等物を、ＲＦＩＤ識別子３が与える情報に基づいてコンベヤー１０３から様々な区分に移送するようになっている。
【００７３】
好適な一実施形態によれば、当該装置は、手提げ袋、袋、サック１又は同等物に穴を形成する手段１０４を備え、当該穴から、内部の廃材又はリサイクル可能な材料が出るようになっている。
【００７４】
好適な一実施形態によれば、当該装置は、ユーザーによって自由に選択されるプラスチック手提げ袋、プラスチックサック又はプラスチック袋のような手提げ袋、袋又はサック１を廃棄物搬送において使用するようになっている。
【００７５】
好適な一実施形態によれば、当該装置は、閉鎖手段２及び／又はＲＦＩＤ識別子３が与える情報に基づいて様々な区分に廃棄物を分別するようになっている。
【００７６】
好適な一実施形態によれば、当該装置は、分別された廃棄物区分物を受け取るようになっている、コンベヤー１０３に対して横断する分別コンベヤー１０５、１０９、１１０、１１１、１１２を備える。
【００７７】
好適な一実施形態によれば、当該装置は、分別された廃棄物区分物用の容器１０６、１０７を備える。
【００７８】
好適な一実施形態によれば、ハンドリングデバイスＲ１、Ｒ２、Ｒ３、Ｒ４、Ｒ５は、分別すべき手提げ袋、袋、サック１又は同等物を把持する把持手段１２０を備える。
【００７９】
好適な一実施形態によれば、複数のセンサーＳ１、Ｓ２、Ｓ３，Ｓ４、Ｓ５がコンベヤー１０３に接続して又は当該コンベヤー１０３付近に配置されており、当該センサーはＲＦＩＤ識別子３を読み取るようになっており、ロボットのような複数のハンドリングデバイスＲ１、Ｒ２、Ｒ３、Ｒ４、Ｒ５又は当該複数のハンドリングデバイスＲ１、Ｒ２、Ｒ３、Ｒ４、Ｒ５の一部を制御することが意図され、それによって、当該ハンドリングデバイス又は当該ハンドリングデバイスの少なくとも一部が、ＲＦＩＤ識別子３が与える情報に基づいて、分別すべき手提げ袋、袋、サック１又は同等物をコンベヤー１０３から様々な区分に移送する。
【００８０】
好適な一実施形態によれば、当該装置は、廃棄物から分離した手提げ袋、袋又はサック１又は同等物を容器へ又は更なる処理のために移送する手段を備える。
【００８１】
空気圧式廃棄物搬送システムに関連したＲＦＩＤ識別子の使用は、特許文献３に記載されている。廃棄物を分別する際のＲＦＩＤ識別子の使用は、特許文献４に提示されている。
【００８２】
本発明が上記に提示した実施形態に限定されるのではなく、添付の特許請求の範囲内で変更することができることは当業者には明らかである。必要であれば、本明細書に提示された可能性のある特徴は他の特徴とともに互いに別個に使用することができる。
【図１】
0005863657.tif 000002
【図２】
0005863657.tif 000003
【図３】
0005863657.tif 000004
【図４】
0005863657.tif 000005